(57)【要約】      （修正有）【課題】回答内容の秘密性を確保しつつ、実施者が要する手間を省いて回収作業の効率化を図ることができる調査シートおよび調査シート回収セットを提供する。【解決手段】調査シート１のシート体１０は、上辺１１を含むと共に、回答者を特定するための情報であって目視によって読み取り可能な第１情報２１が記載された第１情報記載欄２２を含む控え部分２０と、調査項目または調査に係る設問が記載された回答記入欄３１を含む回収部分３０と、控え部分２０と回収部分３０との間に形成されて控え部分２０を回収部分３０から切り離し可能とするミシン目と、を有する。回収部分３０に、回答者を特定するための第１情報２１に紐づく情報であって目視によって読み取り不能な第２情報３２が記載されている。【選択図】図４
0003219380.tif 000002
【実用新案登録請求の範囲】
【請求項１】
回答者によって回答記入欄に回答が記入される調査シートであって、
前記回答記入欄をいずれかの面に含むと共に、上辺、下辺、および、前記上辺と前記下辺とを接続する左側辺および右側辺を有するシート体を備え、
前記シート体が、
前記シート体の上部または下部を構成して前記上辺または前記下辺を含むと共に、前記回答者を特定するための情報であって目視によって読み取り可能な第１情報が記載された第１情報記載欄、または、前記第１情報が記入される第１情報記入欄を含む控え部分と、
前記シート体の前記控え部分とは異なる部分を構成すると共に、調査項目または調査に係る設問が記載された前記回答記入欄を含む回収部分と、
前記控え部分と前記回収部分との間に形成されて前記控え部分を前記回収部分から切り離し可能とするミシン目と、を有し、
前記回収部分に、前記回答者を特定するための前記第１情報に紐づく情報であって目視によって読み取り不能な第２情報が記載されるか、または、前記控え部分および前記回収部分の両方に、同一の前記シート体に由来することを特定するための情報であって目視によって読み取り不能な第３情報が記載されている、調査シート。
【請求項２】
前記シート体は、初期状態では二つ折りで密封され、回答記入状態では開かれて、前記回答記入欄を含む見開きの左ページおよび右ページが露出するように構成されており、
前記シート体は、略同一の大きさ及び形状を有する左シート部と右シート部とを有し、
前記左シート部は前記左ページを含み、前記右シート部は前記右ページを含み、
前記初期状態では、前記左ページと前記右ページとが重なり合って対面しており、前記左側辺および前記右側辺のいずれか一方側から前記シート体を開封可能であると共に、いずれか他方側では前記左シート部と前記右シート部とが結合されており、
前記左シート部および前記右シート部にわたって設けられた前記控え部分は、前記第１情報が記載された前記第１情報記載欄を含むと共に、前記控え部分のうちの前記左ページの面または前記右ページの面には、前記回答記入欄に相当するコンテンツを含むＷＥＢ回答ページに前記回答者がログインするためのＩＤおよびパスワードを含むログイン情報が記載されている、請求項１に記載の調査シート。
【請求項３】
請求項１または請求項２に記載の調査シートと、前記調査シートの前記回収部分を回収するための回収ボックスと、を備える調査シート回収セットであって、
前記調査シートの前記回収部分は、前記左側辺の部分および前記右側辺の部分を長辺とする長方形状であり、
前記回収ボックスは、前記回収部分を内包するような大きさ及び形状を有して互いに対面する長方形状の底面部および長方形状の上面部と、前記底面部および前記上面部の各短辺を接続する第１側面部および第２側面部と、を有し、
前記上面部には、前記上面部の短辺に略平行に延びて前記第２側面部寄りに配置されると共に、前記シート体の前記左側辺と前記右側辺との距離であるシート幅より長いスリットが形成されており、
前記第１側面部と前記スリットの第２側面部側の端縁との距離は、前記シート体の前記下辺から前記上辺までの長さより短い、調査シート回収セット。
【考案の詳細な説明】
【技術分野】
【０００１】
本考案は、調査シートおよび調査シート回収セットに関する。
【背景技術】
【０００２】
例えば医療事業者等が実施するストレスチェック等の調査（アンケート等ともいう）を顧客に記入してもらうため、調査用紙が用いられている。この調査用紙には、調査に関わる複数の項目（たとえば、チェック項目や設問等）が記載されると共に、その調査に対して回答した回答者を特定するための情報が記載される。回答者を特定するための情報が調査用紙に予め印字されている場合もあるし、当該情報を記入するための欄のみが調査用紙に印刷されていて、その欄に、回答者が情報（氏名その他の情報）を記入する場合もある。複数の回答者によって回答が記入された複数の調査用紙は、それぞれ回収されて、医療機関等の実施者に渡される。
【０００３】
調査用紙を回収する際には、回答および回答者が秘密にされる必要がある。すなわち、回答および回答者が、実施者、たとえば医療事業者の構成員である医師等といった限られた者によって確認されることは必要であっても、その他の第三者に対しては秘密にされなければならない。そのため従来は、個々の調査用紙が、封筒に入れた状態で回収されていた。たとえば、図１（ａ）に示されるように、従来の調査用紙１００は、回答者を特定するための情報を含む第１部分１０１と、回答が記入される第２部分１０２とを有しており、一方で封筒２００は、透明な小窓２０１を有している。図１（ｂ）に示されるように、封筒２００に調査用紙１００が入れられると、小窓２０１を通して第１部分１０１を視認することができるが、第２部分１０２は隠れて見えない。このようにして、秘密性が確保されている。
【０００４】
従来の回収システムでは、回答者の人数に相当する複数の封筒が集められることになる。医療事業者等の実施者にとっては、それらの封筒の開封作業が手間を要し、大変煩わしいものであった。
【０００５】
上述したように、調査用紙および調査用紙の回収システムにおいては、秘密性を確保することが第１に重要である。たとえば、特許文献１に記載されるように、折りたたみ式回収箱が知られている。この回収箱を用いれば、アンケート用紙等が上面部の投入孔から投入される。また特許文献２に記載されるように、記入された個人情報等の流出・漏洩を防ぐことができる記入用紙およびデータ処理システムが知られている。また特許文献３に記載されるように、健康診断に必要な書類をまとめて郵送できるようにした健康診断票が知られている。
【先行技術文献】
【特許文献】
【０００６】
【特許文献１】実用新案登録第３１８８７８４号公報
【特許文献２】特開２０１１−１６１７３３号公報
【特許文献３】特開２００９−２４８３９６号公報
【考案の概要】
【考案が解決しようとする課題】
【０００７】
特許文献２に記載された発明では、アンケート用紙は、個人情報が記入される第１情報記入欄と第２情報記入欄とを有し、これらがミシン目に沿って２つの紙片に分断される。右側の紙片に第１情報記入欄が含まれ、左側の紙片に第２情報記入欄が含まれる。アンケート記入領域も、２つに分割される。別々のデータ入力者が断片的な個人情報を入力するので、これらの入力者が悪意をもって個人情報等を流出・漏洩させようと企んだとしても、情報断片だけでは個人が特定できず情報として不完全であり、全く価値がない。一方、特許文献３に記載された発明では、上用紙、中用紙、下用紙が綴じられた健康診断票において、中用紙は、問診票として機能し、ミシン目を介して本体から切り離すことができる。受診日当日、受診者は、健康診断票を医療機関に持参する。窓口では、ミシン目が切断されて、受診票と問診票が本体から切り離される。
【０００８】
これらの先行技術文献に記載された技術では、秘密性の確保と、調査の実施者が要する手間の低減すなわち回収作業の効率化との両方を実現することは難しい。特許文献１に記載された回収箱を利用したとしても、回収箱の中身が第三者に覗かれてしまう可能性も否定できない。そこで、回答内容（回答および回答者）の秘密性を確保しつつ、調査の実施者が要する手間を省いて回収作業の効率化を図ることが求められている。
【０００９】
本考案は、回答内容の秘密性を確保しつつ、実施者が要する手間を省いて回収作業の効率化を図ることができる調査シートおよび調査シート回収セットを提供することを目的とする。
【課題を解決するための手段】
【００１０】
本考案の一態様は、回答者によって回答記入欄に回答が記入される調査シートであって、回答記入欄をいずれかの面に含むと共に、上辺、下辺、および、上辺と下辺とを接続する左側辺および右側辺を有するシート体を備え、シート体が、シート体の上部または下部を構成して上辺または下辺を含むと共に、回答者を特定するための情報であって目視によって読み取り可能な第１情報が記載された第１情報記載欄、または、第１情報が記入される第１情報記入欄を含む控え部分と、シート体の控え部分とは異なる部分を構成すると共に、調査項目または調査に係る設問が記載された回答記入欄を含む回収部分と、控え部分と回収部分との間に形成されて控え部分を回収部分から切り離し可能とするミシン目と、を有し、回収部分に、回答者を特定するための第１情報に紐づく情報であって目視によって読み取り不能な第２情報が記載されるか、または、控え部分および回収部分の両方に、同一のシート体に由来することを特定するための情報であって目視によって読み取り不能な第３情報が記載されている。
【００１１】
本考案によれば、回答者は、回収部分の回答記入欄に記載された調査項目または設問に対して、何らかの手法で（たとえば筆記具等により）回答を記入する。一方、回収部分の上側または下側に設けられた控え部分は、回答者を特定するための第１情報が記載された第１情報記載欄を含んでいるか、第１情報が記入される第１情報記入欄を含んでいる。回答者は、ミシン目に沿って、控え部分を回収部分から切り離す。その後、回答者は、調査シートの回収部分を提出する。回答者は、たとえば回収部分を所定の回収ボックス等に投入する。あるいは、回答者は、たとえば回収部分を所定のトレイ等に置く。控え部分には第１情報が含まれているが、この第１情報は、回収部分から既に切り離されている。よって、第三者が回収部分を見たとしても、その回答をした回答者が誰であるかを判別することはできない。このように、回答内容（回答および回答者）の秘密性が確保されている。このように、回収部分が仮に露出した状態でも秘密性が確保されているので、本考案の調査シートを用いることで、従来用いられていた個別の回収封筒は不要になる。すなわち、複数の回収部分をまとめて集めることができ、従来必要であった開封作業が不要になる。したがって、調査の実施者が要する手間を省いて回収作業の効率化を図ることができる。
【００１２】
シート体は、初期状態では二つ折りで密封され、回答記入状態では開かれて、回答記入欄を含む見開きの左ページおよび右ページが露出するように構成されており、シート体は、略同一の大きさ及び形状を有する左シート部と右シート部とを有し、左シート部は左ページを含み、右シート部は右ページを含み、初期状態では、左ページと右ページとが重なり合って対面しており、左側辺および右側辺のいずれか一方側からシート体を開封可能であると共に、いずれか他方側では左シート部と右シート部とが結合されており、左シート部および右シート部にわたって設けられた控え部分は、第１情報が記載された第１情報記載欄を含むと共に、控え部分のうちの左ページの面または右ページの面には、回答記入欄に相当するコンテンツを含むＷＥＢ回答ページに回答者がログインするためのＩＤおよびパスワードを含むログイン情報が記載されていてもよい。
【００１３】
最初は二つ折りされていて回答記入時に見開き方式になるシート体を備えた調査シートによれば、左ページと右ページに回答記入欄を設けることができる。よって、一定のサイズのシート体を想定した場合に、より多くの（たとえば２倍近い数の）項目や設問を設定することができる。しかも、この調査シートを用いた場合、回答者は、回収部分の回答記入欄を用いて回答することもできるし、回収部分を用いずに、ＷＥＢ回答ページにログインして回答することもできる。回収部分を用いてそれを提出した場合でも、上述の理由により、秘密性は確保されている。なお、ＷＥＢを用いた場合には、回答者は回収部分を提出する必要はない。このように、回答者は、２つの方式のいずれかを選択して回答することができ、利便性が高められている。その結果として、提出率が上がることが期待できる。調査の実施者にとっては、回収部分の提出またはＷＥＢによる回答提出のいずれかによって回答を回収することができる。このことは、事前にどちらの方法で回答するかを調査しなくてよい（考えなくてよい）という利点を有し、また、提出率（回収率）が上がるという利点も有する。控え部分には第１情報のみならずログイン情報が記載されているが、このログイン情報は、左ページの面または右ページの面に記載されているので、回答者がシート体を開封するまではＩＤおよびパスワードは秘密にされている。よって、控え部分が回答者または実施者または集団の管理者に保有されている限り、第三者が特定の回答者のＷＥＢ回答ページにログインして回答を盗み見たり、あるいは回答を改ざんしたりすることはできない。
【００１４】
また本考案の別の態様は、上記したいずれかの調査シートと、調査シートの回収部分を回収するための回収ボックスと、を備える調査シート回収セットであって、調査シートの回収部分は、左側辺の部分および右側辺の部分を長辺とする長方形状であり、回収ボックスは、回収部分を内包するような大きさ及び形状を有して互いに対面する長方形状の底面部および長方形状の上面部と、底面部および上面部の各短辺を接続する第１側面部および第２側面部と、を有し、上面部には、上面部の短辺に略平行に延びて第２側面部寄りに配置されると共に、シート体の左側辺と右側辺との距離であるシート幅より長いスリットが形成されており、第１側面部とスリットの第２側面部側の端縁との距離は、シート体の下辺から上辺までの長さより短い。
【００１５】
この調査シート回収セットの回収ボックスを用いれば、上面部に形成されたスリットを通して、回答者は調査シートの回収部分を投入することができる。複数の回答者によって投入された複数の回収部分は、たとえば底面部上に蓄積されていく。回収部分が投入される際、スリットが第２側面部寄り配置されていることから、回収部分は、第１側面部の方に向けて挿し込まれる。ここで、第１側面部とスリットの第２側面部側の端縁との距離が、シート体の下辺から上辺までの長さより短くなっている。したがって、回答者が控え部分を切り離さずに調査シートをそのまま投入しようとした場合、シート体の下辺または上辺が第１側面部に突き当たり、その状態でもなお、上辺または下辺が回収ボックス外に突出する。よって、回答者にとって、調査シートの全体を回収ボックス内に押し込むことは難しい。このような構成を有する回収セットによれば、控え部分が付いたままの調査シートが提出されることを抑制できると共に、回答者に対しても、控え部分の切り離しを促すことができる。
【考案の効果】
【００１６】
本考案によれば、回答内容の秘密性を確保しつつ、実施者が要する手間を省いて回収作業の効率化を図ることができる。
【図面の簡単な説明】
【００１７】
【図１】図１（ａ）は、従来の調査シートおよび回収封筒を示す図であり、図１（ｂ）は、調査シートが封入された回収封筒を示す図である。
【図２】図２は、本考案の一実施形態に係る調査シートを示す図である。
【図３】図３は、調査シートの回収ボックスを組み立てている状態を示す図である。
【図４】図４は、図３の回収ボックスに調査シートが投入される状態を示す図である。
【図５】図５（ａ）および図５（ｂ）は、それぞれ、図４中の回収ボックスにおけるＶ−Ｖ線に沿う断面図である。図５（ａ）は、その回収ボックスに、ミシン目が切断された調査シートが投入されている状態を示す図である。図５（ｂ）は、その回収ボックスに、ミシン目が切断されていない調査シートが投入されている状態を示す図である。
【図６】図６は、調査シートの回収後に提出または発送される回収ボックスを示す図である。
【図７】図７（ａ）および図７（ｂ）は、変形例に係る調査シートを示す図である。
【考案を実施するための形態】
【００１８】
以下、本考案の実施形態について、図面を参照しながら詳細に説明する。なお、図面の説明において、同一の要素同士、或いは、相当する要素同士には、互いに同一の符号を付し、重複する説明を省略する場合がある。
【００１９】
本実施形態に係る調査シート回収セットＳ（図４参照）は、回答者によって回答記入欄３１に回答が記入される調査シート１と、回答が記入された調査シート１の回収部分３０を回収するための回収ボックス５０と、を備えている。調査シート１は、たとえば医療事業者等によって実施される調査であり、調査の一例として、ストレスチェック調査が挙げられる。調査の内容はこの例に限られず、あらゆる調査があり得る。調査を実施する事業者すなわち実施者は、医療事業者に限られない。実施者は、たとえば、教育関係の事業者であってもよいし、ビジネスコンサルティング関係の事業者であってもよい。調査の対象者は、たとえば実施者の顧客（企業等）であり、回答者は、当該顧客の従業員等である。回答者は、通常、個人である。なお、回答者が何らかのグループであってもよい。
【００２０】
まず図１を参照して、調査シート１について説明する。本明細書では「調査」との用語を用いているが、「調査」との用語に代えて「アンケート」との用語が用いられてもよい。図１に示されるように、調査シート１は、たとえば、縦長の長方形状の紙片からなる。調査シート１は、紙製である場合に限られず、たとえば薄型のプラスチック製等であってもよい。「調査シート」との用語に代えて、たとえば「調査用紙」または「回答用紙」等の用語が用いられてもよい。
【００２１】
調査シート１は、縦長の長方形状である１枚のシート体１０を備える。調査シート１は、シート体１０のみからなってもよいし、シート体１０以外のものを備えてもよい。たとえば、調査シート１は、シート体１０に加えて、何らかのタブのような突出片を備えてもよい。シート体１０は、上辺１１と、下辺１２と、左側辺１３と、右側辺１４とを含む。互いに平行な上辺１１および下辺１２の左右端を、互いに左側辺１３および右側辺１４がそれぞれ接続している。シート体１０は、縦方向においてシート全体長さＬ１を有し、横方向においてシート全体幅Ｌ３を有する。シート体１０は、たとえばＡ４サイズであるが、これに限られない。シート全体長さＬ１は、左側辺１３および右側辺１４のそれぞれの長さと同一である。シート全体幅Ｌ３は、上辺１１および下辺１２のそれぞれの長さと同一である。
【００２２】
調査シート１の表面（図１に示される面）には、調査項目または調査に係る設問が記載された回答記入欄３１が印刷されている。また調査シート１の表面には、回答者を特定するための情報である第１情報２１が記載された第１情報記載欄２２が印刷されている。回答記入欄３１の内容は、たとえば、図１（ａ）に示した第２部分１０２と同様である。回答記入欄３１には、各設問に対して回答者がマークするための複数の欄が設けられている。回答記入欄３１に、自由記載形式の欄が設けられてもよい。第１情報記載欄２２の内容すなわち第１情報２１は、たとえば、図１（ａ）に示した第１部分１０１と同様である。第１情報２１は、たとえば「Ａ工業」または「ヤマダ  タロウ」等のように、目視によって読み取り可能な情報である。
【００２３】
シート体１０は、シート体１０の上部を構成して上辺１１を含む控え部分２０と、控え部分２０とは異なる部分であるシート体１０の下部を構成して、下辺１２を含む回収部分３０とを有する。控え部分２０は、第１情報２１が記載された第１情報記載欄２２を含む。控え部分２０には、表面にも裏面にも、回答記入欄３１はいっさい含まれない。一方、回収部分３０は、回答記入欄３１を含む。回収部分３０には、表面にも裏面にも、目視によって読み取り可能な第１情報２１すなわち第１情報記載欄２２はいっさい含まれない。回答記入欄３１は、たとえば、１０〜７０項目の設問を含む。なお、調査シート１の裏面にも、回答記入欄３１が印刷されてもよい。
【００２４】
控え部分２０と回収部分３０との間には、上辺１１および下辺１２のそれぞれと平行に延びるミシン目４０が形成されている。すなわち、ミシン目４０は、控え部分２０と回収部分３０との境界ラインをなしている。このミシン目４０は、控え部分２０を回収部分３０から切り離し可能とする。調査シート１が回答者に配布された時点、すなわち回答記入欄３１に回答が記入されていない時点では、控え部分２０は回収部分３０に結合している。回答者は、回答を記入する際、または記入し終えた際、ミシン目４０を切断して、控え部分２０を回収部分３０から切り離す。調査シート１上または調査シート１と併せて配布される他の案内用紙には、回答の提出時にはミシン目４０に沿って控え部分２０を切り離し、回収部分３０のみを提出する旨の説明が記載されている。
【００２５】
ミシン目４０は、上辺１１寄りに形成されている。すなわち、ミシン目４０から上辺１１までの控え部分長さＬ１ａは、ミシン目４０から下辺１２までの回収部分長さＬ１ｂより短い。控え部分長さＬ１ａは、控え部分左側辺１３ａおよび控え部分右側辺１４ａの各長さと同一であり、回収部分長さＬ１ｂは、回収部分左側辺１３ｂおよび回収部分右側辺１４ｂの各長さと同一である。控え部分長さＬ１ａと回収部分長さＬ１ｂの比は、特に限定されないが、たとえば、１：４〜１：１０程度に設定される。ミシン目４０に沿ってシート体１０が分断された結果、控え部分２０は、控え部分左側辺１３ａおよび控え部分右側辺１４ａを短辺とする、横長の長方形状である（図４参照）。回収部分３０は、回収部分左側辺１３ｂおよび回収部分右側辺１４ｂを長辺とする、縦長の長方形状である。
【００２６】
調査シート１では、控え部分２０に、第１情報２１が記載されており、その調査シート１がある特定の回答者に配布されることが想定されている。言い換えれば、回答者は、調査に回答しようとする際、第１情報２１の内容を確認して正しい自分の情報が記載されているかを確認した上で、回答を記入する。調査シート１では、回収部分３０に、その回答者を特定するための第１情報２１に紐づく第２情報３２が印刷（記載）されている。第２情報３２は、たとえば、ＱＲコード（登録商標）またはバーコード等であり、目視によって読み取り不能な情報である。本明細書において「目視によって読み取り可能／不能」とは、通常の人間がその情報を見た場合に、回答者の氏名等の回答者に固有の情報を判別できるかできないか、を意味する。調査の実施者は、第２情報３２を読取機等で読み取ることにより、コンピュータ等を用いて、その回収部分３０が第１情報記載欄２２に記載された第１情報２１に対応するものであることを判別できる。あるいは、第１情報２１に紐づけられた第２情報３２の対応テーブル等が、特定のサーバ等に記憶されていてもよい。第２情報３２は、数字およびアルファベットの組合せ等であってもよく、他のコード（暗号）であってもよい。
【００２７】
なお、調査シート１では、控え部分２０に、たとえばＱＲコードである第３情報２３が印刷（記載）されている。調査シート１では、上記した第２情報３２が第１情報２１に紐づいているが、本実施形態では第３情報２３が第２情報３２と同じＱＲコードになっている。これにより、切り離された後の控え部分２０と回収部分３０とが、同一のシート体１０に由来することが特定され得るようになっている。本実施形態における第２情報３２は、回収部分３０が控え部分２０と同一のシート体１０に由来することを特定するための第３情報でもある。なお、第２情報３２が第１情報２１に紐づけられておりさえすれば、控え部分２０において第３情報２３が省略されてもよい。
【００２８】
本実施形態の調査シート１によれば、回答者は、回収部分３０の回答記入欄３１に記載された調査項目または設問に対して、たとえば筆記具等により回答を記入する。一方、回収部分３０の上側に設けられた控え部分２０は、回答者を特定するための第１情報２１が記載された第１情報記載欄２２を含んでいる。回答者は、ミシン目４０に沿って、控え部分２０を回収部分３０から切り離す。その後、回答者は、調査シート１の回収部分３０を提出する。回答者は、たとえば回収部分３０を所定の回収ボックス（詳しくは後述）等に投入する。あるいは、回答者は、たとえば回収部分３０を所定のトレイ等に置いてもよい。控え部分２０には第１情報２１が含まれているが、この第１情報２１は、回収部分３０から既に切り離されている。よって、第三者が回収部分３０を見たとしても、その回答をした回答者が誰であるかを判別することはできない。このように、回答内容（回答および回答者）の秘密性が確保されている。このように、回収部分３０が仮に露出した状態でも秘密性が確保されているので、本考案の調査シート１を用いることで、従来用いられていた個別の回収封筒２００（図１（ａ）参照）は不要になっている。すなわち、複数の複数の回答者に相当する複数の回収部分３０をまとめて集めることができ、従来必要であった開封作業が不要になる。したがって、調査の実施者が要する手間を省いて回収作業の効率化を図ることができる。回答者は、控え部分２０を保持していてもよいが、実施者または回答者が所属する集団（たとえば企業等）の管理者（たとえば総務部や人事部等）に、この控え部分２０を提供してもよい。回答者が控え部分２０を提供することで、実施者または集団の管理者は、その回答者による回答が提出済みであることを認識できる。
【００２９】
続いて、図３〜図６を参照して、調査シート回収セットＳの回収ボックス５０について説明する。図３および図４に示されるように、回収ボックス５０は、たとえば段ボールからなる折りたたみ式の回収箱である。回収ボックス５０は、組立て前の初期状態では、平坦に折りたたまれている。回収ボックス５０は、枠状をなす４面からなるボックス胴体部６１と、ボックス胴体部６１の第１端部に形成された折込み面６３と、ボックス胴体部６１の第２端部に形成された中蓋片６４および蓋片６６と、を有する。ボックス胴体部６１および折込み面６３は、平坦に折りたたまれた状態から、立体的に組立てられた状態に変形可能である。このような折りたたみ式の箱の構造としては、公知の構造を採用することができる。回収ボックス５０は、組み立てられた状態において、所定の距離だけ離間して対面する、互いに平行な底面部５１および上面部５２を有する。底面部５１および上面部５２は、同一の長方形状および同一の大きさを有している。底面部５１および上面部５２は、それぞれ、調査シート１の回収部分３０を内包するような大きさ及び形状を有する。言い換えれば、底面部５１および上面部５２は、それぞれ、調査シート１の回収部分３０よりも一回りまたは二回り程大きい。
【００３０】
なお、調査シート１に関して説明に用いた「上」または「下」と、回収ボックス５０に関して説明に用いた「上」または「底（下）」とは、一致していない。調査シート１に関しては、回答者の視線を基準として「上」または「下」の用語が用いられており、回収ボックス５０に関しては、回収ボックス５０が通常置かれる向きすなわち重力を基準として「上」または「下」の用語が用いられている。回収ボックス５０に調査シート１が収容された状態において、調査シート１の上下の方向と、回収ボックス５０の上下の方向とは、９０度異なっている。なお、回収ボックス５０は、底面部５１および上面部５２が重力に対して側方に位置するように置かれてもよい。
【００３１】
回収ボックス５０は、底面部５１および上面部５２の各短辺を接続する第１側面部５３および第２側面部５４と、底面部５１および上面部５２の各長辺を接続する第３側面部５５および第４側面部５６とを有する。回収ボックス５０は、調査シート１の回収中におけるシート受入れ形態と、調査シート１の回収後に調査シート１を提出または発送するためのシート封入形態と、の２つの形態を採り得る。図４および図５には、シート受入れ形態の回収ボックス５０が示されており、図６には、シート封入形態の回収ボックス５０が示されている。
【００３２】
第１側面部５３は、上記した折込み面６３が組み立てられることによって、平面状に形成される。一方、第２側面部５４は、シート受入れ形態においては、中蓋片６４、外蓋片６７、および外蓋片６７から外側に折り返された蓋余り片６８（いずれも図３参照）の３枚から構成される。この状態で、外蓋片６７と蓋余り片６８の境界部に形成された第１蓋爪片６９は、上面部５２と中蓋片６４の境界部に形成された第１蓋爪差込口７１に差し込まれる。蓋余り片６８の先端部に形成された２枚の第２蓋爪片７０は、外蓋片６７内に形成された２つの第３蓋爪差込口７３に差し込まれる。図３、図４および図６に示されるように、回収ボックス５０の上面部５２と第３側面部５５との境界部に沿って、回収部分３０の投入方向を示す大きな矢印５２ｅが印刷されている。
【００３３】
図６に示されるシート封入形態においては、第２側面部５４は、中蓋片６４および外蓋片６７の２枚から構成される。蓋余り片６８は、上面部５２上に重ねられるように配置され、上面部５２の第２側面部５４側の端部を覆う。この状態で、２枚の第２蓋爪片７０は、上面部５２に形成された２つの第２蓋爪差込口７２に差し込まれる。
【００３４】
図３に示されるように、上面部５２には、上面部５２の短辺（第２側面部５４または第１側面部５３との境界ライン）に略平行に延びるスリット５２ａが形成されている。このスリット５２ａは、調査シート１の回収部分３０の投入口である。スリット５２ａは、シート体１０の左側辺１３と右側辺１４との距離であるシート全体幅Ｌ３（図２参照、シート幅）より長い。このスリット５２ａは、たとえば、スリット５２ａに形成されたスリット抜き片６２（図３参照）を内側（回収ボックス５０の収容空間内）に折り曲げることによって形成される。図３および図５（ａ）に示されるように、このスリット抜き片６２は、スリット５２ａの第２側面部５４側の第１端縁５２ｂにおいて、上面部５２から切り離されているが、スリット５２ａの第１側面部５３側の第２端縁５２ｃにおいては、上面部５２に連結されたままである。スリット５２ａの第２端縁５２ｃにスリット抜き片６２が連結されていることにより、いったん投入された回収部分３０を抜き出すことが困難になっている。
【００３５】
このスリット５２ａは、第２側面部５４寄りに配置されている。すなわち、スリット５２ａの第２端縁５２ｃと第２側面部５４との距離は、スリット５２ａの第１端縁５２ｂと第１側面部５３との距離より短い。本実施形態では、回収ボックス５０の大きさ及びスリット５２ａの位置は、シート体１０（調査シート１）のサイズを考慮して決定されている。具体的には、図５（ａ）および図５（ｂ）に示されるように、第１側面部５３とスリット５２ａの第２端縁５２ｃとの距離Ｌ２は、シート体１０の下辺１２から上辺１１までのシート全体長さＬ１より短くなっている。第１側面部５３と第２側面部５４との距離すなわち回収ボックス５０の全体長さＬ５は、シート体１０の下辺１２から上辺１１までのシート全体長さＬ１より短くなっていてもよく、シート全体長さＬ１と同等であってもよい。また、第１側面部５３とスリット５２ａの第１端縁５２ｂとの距離Ｌ４は、回収部分３０の回収部分長さＬ１ｂより短くなっている。第１側面部５３とスリット５２ａの第２端縁５２ｃとの距離Ｌ２は、回収部分３０の回収部分長さＬ１ｂより長くなっていてもよい。
【００３６】
図６に示されるシート封入形態においては、蓋片６６の蓋余り片６８は、上面部５２上に重ねられるように配置され、上面部５２のスリット５２ａを覆う。これにより、スリット５２ａが封止され、内部に収容された回収部分３０の飛び出し（または脱落）や、外部からのゴミや雨等の侵入が防止されている。この状態で、回収ボックス５０は、提出または発送される。
【００３７】
上述した調査シート回収セットＳの回収ボックス５０を用いれば、上面部５２に形成されたスリット５２ａを通して、回答者は調査シート１の回収部分３０を投入することができる。控え部分２０が切り離され、ミシン目４０の跡である回収部分上辺３４が形成されている。下辺１２から回収部分上辺３４までの回収部分長さＬ１ｂとスリット５２ａの位置が上記の関係にあることにより、回答者は、回収部分上辺３４をスリット５２ａから回収ボックス５０内に落とし込み易い。複数の回答者によって投入された複数の回収部分３０は、図５（ａ）に示されるように、底面部５１上に蓄積されていく。回収部分３０が投入される際、スリット５２ａが第２側面部５４寄り配置されていることから、回収部分３０は、自ずと第１側面部５３の方に向けて挿し込まれる。ここで、第１側面部５３とスリット５２ａの第２側面部５４側の第２端縁５２ｃとの距離が、シート体１０の下辺１２から上辺１１までのシート全体長さＬ１より短くなっている。したがって、図５（ｂ）に示されるように、回答者が控え部分２０を切り離さずに調査シート１をそのまま投入しようとした場合、シート体１０の下辺１２または上辺１１が第１側面部５３に突き当たり、その状態でもなお、上辺１１または下辺１２が回収ボックス５０外に突出する。よって、回答者にとって、調査シート１の全体を回収ボックス５０内に押し込むことは難しい。このような構成を有する調査シート回収セットＳによれば、控え部分２０が付いたままの調査シート１が提出されることを抑制できると共に、回答者に対しても、控え部分２０の切り離しを促すことができる。
【００３８】
続いて、図７（ａ）および図７（ｂ）を参照して、変形例に係る調査シート１Ａについて説明する。調査シート１Ａでは、シート体１０Ａは、初期状態では二つ折りで密封され、回答記入状態では開かれて、回答記入欄３１Ａ，３１Ｂを含む見開きの左ページＰ１および右ページＰ２が露出するように構成されている。シート体１０Ａは、たとえば、閉じられた状態ではＡ４サイズであり、開かれた状態ではＡ３サイズであるが、これに限られない。シート体１０Ａは、略同一の大きさ及び形状を有する左シート部１５Ａと右シート部１５Ｂとを有する。左シート部１５Ａは左ページＰ１を含み、右シート部１５Ｂは右ページＰ２を含む。初期状態では、左ページＰ１と右ページＰ２とが重なり合って対面している。左ページＰ１および右ページＰ２は調査シート１Ａの内部にあって隠れているので、左ページＰ１および右ページＰ２を見ることはできない。左シート部１５Ａと右シート部１５Ｂとは、全面圧着されていてもよいし、３辺（たとえば上辺１１、下辺１２および右側辺１４）の縁部にミシン目が形成されて、ミシン目を切断することによって開封可能であってもよい。シート体１０Ａでは、右側辺１４側からシート体１０Ａを開封可能である。また、左側辺１３側では、左シート部１５Ａと右シート部１５Ｂとが結合されている。左シート部１５Ａおよび右シート部１５Ｂにわたって、一直線状にミシン目４０Ａが形成されている。左シート部１５Ａおよび右シート部１５Ｂにわたって設けられた回収部分３０Ａは、回答記入欄３１Ａ，３１Ｂを含む。回答記入欄３１Ａ，３１Ｂは、左ページＰ１および右ページＰ２に印刷されている。たとえば、右ページＰ２の裏面にも、回答記入欄３１Ａ，３１Ｂが印刷されてもよい。第２情報３２Ａが、左シート部１５Ａおよび右シート部１５Ｂの両方に印刷されていてもよい。左シート部１５Ａおよび右シート部１５Ｂにわたって設けられた控え部分２０Ａは、第１情報２１が記載された第１情報記載欄２２を含む。控え部分２０Ａのうち、たとえば右ページＰ２の面には、回答記入欄３１Ａ，３１Ｂに相当するコンテンツを含むＷＥＢ回答ページに、回答者がログインするためのＩＤおよびパスワードを含むログイン情報２８が記載されている（図７（ｂ）参照）。
【００３９】
回答者が、調査シート１Ａの回収部分３０Ａの回答記入欄を用いて回答した場合、ミシン目４０Ａで控え部分２０Ａが切り離され、回収部分３０Ａが提出される。調査シート１Ａによれば、調査シート１と同様に、調査の実施者が要する手間を省いて回収作業の効率化を図ることができる。調査シート１Ａによれば、調査シート１と同様の作用効果が奏される。回収部分３０Ａは、再び二つ折りにされて提出され得る。二つ折りにされた回収部分３０Ａの大きさ及び形状は、上述した調査シート１の回収部分３０と同様であるから、回収ボックス５０を使用した場合には、調査シート回収セットＳと同様の作用効果が奏される。
【００４０】
最初は二つ折りされていて回答記入時に見開き方式になるシート体１０Ａを備えた調査シート１Ａによれば、左ページＰ１と右ページＰ２に回答記入欄３１Ａ，３１Ｂを設けることができる。よって、一定のサイズのシート体を想定した場合に、より多くの（たとえば２倍近い数の）項目や設問を設定することができる。しかも、この調査シート１Ａを用いた場合、回答者は、回収部分３０Ａの回答記入欄を用いて回答することもできるし、回収部分３０Ａを用いずに、ＷＥＢ回答ページにログインして回答することもできる。回収部分３０Ａを用いてそれを提出した場合でも、上述の理由により、秘密性は確保されている。なお、ＷＥＢを用いた場合には、回答者は回収部分３０Ａを提出する必要はない。このように、回答者は、２つの方式のいずれかを選択して回答することができ、利便性が高められている。その結果として、提出率が上がることが期待できる。調査の実施者にとっては、回収部分３０Ａの提出またはＷＥＢによる回答提出のいずれかによって回答を回収することができる。このことは、事前にどちらの方法で回答するかを調査しなくてよい（考えなくてよい）という利点を有し、また、提出率（回収率）が上がるという利点も有する。控え部分２０Ａには第１情報２１のみならずログイン情報２８が記載されているが、このログイン情報２８は、右ページＰ２の面（つまり初期状態における内面）に記載されているので、回答者がシート体１０Ａを開封するまではＩＤおよびパスワードは秘密にされている。よって、控え部分２０Ａが回答者または実施者または集団の管理者に保有されている限り、第三者が特定の回答者のＷＥＢ回答ページにログインして回答を盗み見たり、あるいは回答を改ざんしたりすることはできない。
【００４１】
以上、本考案の実施形態について説明したが、本考案は上記実施形態に限られない。たとえば、控え部分２０，２０Ａには、第１情報２１が予め印刷されておらず、第１情報２１が記入される第１情報記入欄のみが設けられていてもよい。その場合、回答者によって、第１情報に相当する情報（企業名や氏名等）が記入される。その場合、控え部分２０，２０Ａと回収部分３０，３０Ａの両方に、同一のシート体１０，１０Ａに由来することを特定するための情報であって目視によって読み取り不能な第３情報が記載される。
【００４２】
図２に示した調査シート１の控え部分２０に、調査シート１Ａと同様のログイン情報が記載されてもよい。ただしその場合には、ログイン情報の秘密性を確保するため、初期状態（回答者に配布された時点）で、そのログイン情報が情報保護シート等によって被覆されている必要がある。回答者は、ＷＥＢによる回答提出をする際、情報保護シートを剥がして、ＩＤおよびパスワード等を見てＷＥＢ回答ページにログインする。
【００４３】
控え部分は、シート体の下部を構成して下辺を含むように形成されてもよい。すなわち上記実施形態における控え部分２０，２０Ａが、回収部分３０，３０Ａの下側に配置されてもよい。
【符号の説明】
【００４４】
１，１Ａ…調査シート、１０，１０Ａ…シート体、１１…上辺、１２…下辺、１３…左側辺、１４…右側辺、１５Ａ…左シート部、１５Ｂ…右シート部、２０，２０Ａ…控え部分、２１…第１情報、２２…第１情報記載欄、２３…第３情報、２８…ログイン情報、３０，３０Ａ…回収部分、３１，３１Ａ，３１Ｂ…回答記入欄、３２…第２情報、４０，４０Ａ…ミシン目、５０…回収ボックス、５１…底面部、５２…上面部、５２ａ…スリット、５３…第１側面部、５４…第２側面部、５５…第３側面部、５６…第４側面部、Ｌ１…シート全体長さ、Ｌ２…距離、Ｐ１…左ページ、Ｐ２…右ページ。
【図１】
0003219380.tif 000003
【図２】
0003219380.tif 000004
【図３】
0003219380.tif 000005
【図４】
0003219380.tif 000006
【図５】
0003219380.tif 000007
【図６】
0003219380.tif 000008
【図７】
0003219380.tif 000009